(57)【特許請求の範囲】
【請求項１】
物品を載置する荷台と、
荷台の背面の後側に設けられたキャスター枠と、
該キャスター枠に設けられた車輪と、
該車輪の内側に水平方向に環状に渡って形成された複数の凹部と、
を有し、
台車の幅方向に前記凹部に車輪ロックピンを出し入れして車輪をロックするロック機構を備えた台車において、
前記ロック機構は
鍔部を備える前記車輪ロックピンと、
前記車輪ロックピンを水平方向に通過する孔を設けた一組の軸支部と、
前記車輪ロックピンの周囲を囲繞する押圧スプリングと、
左後輪と右後輪間の台車本体裏面に固定された回転体保持部と、
前記回転体保持部に保持され、ロックレバー部とカム部を備える回転体と、
を有し、
前記軸支部は、車輪側軸支部と回転体側軸支部とからなり、
ロック時には、
前記回転体のロックレバー部を回転させることにより、
回転体のカム部が、押圧スプリングの弾性力に抗して車輪ロックピンの幅方向の押し込み幅を増加させることにより車輪ロックピンを台車の幅方向に移動させ、車輪ロックピン端部が車輪の凹部に歯合するようにし、
アンロック時には、
前記回転体をロック時と逆方向にロックレバーを回転させることにより、回転体のカム部が車輪ロックピンの幅方向の押し込み幅を減少させ、押圧スプリングがその弾性力により車輪ロックピンの鍔部と車輪側軸支部を押圧することにより、車輪ロックピン端部が車輪の凹部に歯合しないようにすることを特徴とする台車。
【発明の詳細な説明】
【技術分野】
【０００１】
本発明は、物品の運搬に用いる台車に関し、特に小型の載置面を有し、ロック機構を有する台車に関するものである。
【背景技術】
【０００２】
従来、物品を載置、運搬できる台車において、ロック機構としては特許文献１又は特許文献２が提案されている。
【０００３】
特許文献１は、車輪を備えた台車に設けられる接地可能なロック機構であって、ロック機構は、台車の下部に接続され接地可能な支持体と、支持体に設けられたロック手段からなり、支持体は、台車の下部に接続されるとともに平面視四角形状に形成され少なくとも下方を開口した第１の筒部材を備えた基礎部材と、地面に当接可能で平面視四角形状に形成された第２の筒部材を備えた脚部材と、基礎部材と脚部材の中間に位置し、平面視四角形状に形成され少なくとも下方を開口した第３の筒部材を備え、第１の筒部材の下方側における開口部分に第３の筒部材を上下方向にスライド自在に設けるとともに、第３の筒部材の下方側における開口部分に第２の筒部材を上下方向にスライド自在に設けたものである。
特許文献２は、荷台に取付けたキャスター枠の一対の側部片に車輪を転動自在に軸支した手押し運搬車において、キャスター枠の一方の側部片と該側部片に並べて荷台に取付けた支持片に架設した規制杆と、該規制杆を車輪のホイール部に交差するように付勢する押圧スプリングと、この押圧スプリングの付勢に抗して規制杆を前記ホイール部から後退させる作動片および作動片を駆動する駆動レバーとで成る手押し運搬車の停止装置を開示している。
【先行技術文献】
【特許文献】
【０００４】
【特許文献１】特開２００７−２８３９０２号公報
【特許文献２】特開平９−２０７７８６号公報
【発明の概要】
【発明が解決しようとする課題】
【０００５】
特許文献１の台車のロック機構は、ロックさせるためのペダル部材を踏み込むことによってロックする機構になっているため、ペダル部材が台車の裏面から後方に飛び出るように設置することが必要になる。そうすると、この種のロック機構では、飛び出たペダル部材が作業者や障害物に接触するため、作業者に危険が生じ、またペダル部材が障害物に接触することによって破損する等の問題があった。その他、台車を立てた状態で保管する際、ブレーキペダルが邪魔をして立てられない等問題があった。
また、特許文献２は、駆動レバーを回動することによって台車のロックを操作する構成になっているため、駆動レバーや、駆動レバーからロック機構まで動力を伝達する各種部品の数が増え、また、その組み付け容積を要するものである。
近年、荷台をできる限り小型化しており、しかも作動片を無くすなど従来例に比して組み付ける容積もできる限り小さくし、ロックを有する台車が望まれている。
【０００６】
本発明は上記のような従来の問題を解決するもので、ペダル部材が障害物に接触することを未然に防止し、作業者及び台車の安全を確保すること、台車を立てた状態で維持できるため省スペースで保管可能なこと、また、部品点数を削減し、コスト削減・組み付け容積削減を目的としている。
【課題を解決するための手段】
【０００７】
本発明に係る台車は、物品を載置する荷台と、荷台の背面の後側に設けられたキャスター枠と、該キャスター枠に設けられた車輪と、該車輪の両側若しくは少なくとも内側に水平方向に環状に渡って形成された複数の凹部と、
を有し、台車の幅方向に前記凹部に車輪ロックピンを出し入れして車輪をロックするロック機構を備えた台車において、
前記ロック機構は鍔部を備える前記車輪ロックピンと、前記車輪ロックピンを水平方向に通過する孔を設けた一組の軸支部と、前記車輪ロックピンの周囲を囲繞する押圧スプリングと、左後輪と右後輪間の台車本体裏面に固定された回転体保持部と、前記回転体保持部に保持され、ロックレバー部とカム部を備える回転体と、を有し、
前記軸支部は、車輪側軸支部と回転体側軸支部とからなり、
ロック時には、前記回転体のロックレバー部を回転させることにより、回転体のカム部が、押圧スプリングの弾性力に抗して車輪ロックピンの幅方向の押し込み幅を増加させることにより車輪ロックピンを台車の幅方向に移動させ、車輪ロックピン端部が車輪の凹部に歯合するようにし、
アンロック時には、
前記回転体をロック時と逆方向にロックレバーを回転させることにより、回転体のカム部が車輪ロックピンの幅方向の押し込み幅を減少させ、押圧スプリングがその弾性力により車輪ロックピンの鍔部と車輪側軸支部を押圧することにより、車輪ロックピン端部が車輪の凹部に歯合しないようにすることを特徴とする。
【発明の効果】
【０００８】
本発明の台車によれば、ロックレバー部とカム部を備える回転体を有しているため、ロック時、アンロック時共に、ロックレバー部が台車の裏面から後方に飛び出ることはないことから、ロックレバー部が障害物に接触することを未然に防止することができる。そのため、台車の運搬時や停止時において、作業者及び台車の安全を確保することができ、台車を立てた状態で保管する事ができる。
また、車輪ロックピン、軸支部、押圧スプリング、回転体保持部、回転体という比較的部品点数が少なく、各部品の容積が小さいロック機構のため、コスト削減、組み付け容積削減を図ることができる。
さらに、回転体のカム部が、押圧スプリングの弾性力に抗して車輪ロックピンの幅方向の押し込み幅を増加させることにより車輪ロックピンを台車の幅方向に移動させ、車輪ロックピン端部が車輪の凹部に歯合するように形成されているため、ブレーキシューを押圧してロックする従来の機構と違い確実にロックすることができる。
【図面の簡単な説明】
【０００９】
【図１】本発明の一実施例における運搬台車を示す斜視図である。
【図２】図１における拡大斜視図である。
【図３】図１におけるアンロック時の底面図である。
【図４】図１におけるロック時の低面図である。
【図５】図４における拡大低面図である。
【図６】図４におけるＡ−Ａ’線断面図である。
【発明を実施するための形態】
【００１０】
図１は、本発明の一実施例における台車の斜視図を示す。図２は、本発明の一実施例における台車の拡大斜視図を示す。
【００１１】
まず、本発明の一実施例における台車１００の構成について説明する。
【００１２】
台車１００は、物品を載置することが可能な荷台１０を有しており（荷台１０は図６に図示）、荷台１０の背面の後側左右にはそれぞれキャスター枠２０が設けられ、そのキャスター枠２０にはそれぞれ車輪２１が設けられている。車輪２１の両側若しくは少なくとも内側には、水平方向に環状に渡って形成された複数の凹部２２が形成されている。この凹部２２に、台車１００の幅方向に車輪ロックピン３０を出し入れすることにより車輪２１をロックすることができる。
荷台１０は、限定されるものではないが合成樹脂製又は金属製又は木製等であり、平面形状が一方に長い略矩形状に形成されている。
【００１３】
車輪ロックピン３０には、押圧スプリング３２の押圧を受けるための鍔部３１が設けられており、押圧スプリング３２は、車輪ロックピン３０の周囲に囲繞されている。
軸支部４０は、車輪ロックピン３０を水平方向に通過するための孔が設けられており、車輪側軸支部４１と回転体側軸支部４２の一組から構成されている。但し、軸支部は車輪ロックピンの動作を保持する役割が主であるため、動作を妨げない限り、一組以上の複数で構成されていても構わない。
車輪側軸支部４１、回転体側軸支部４２は、主に、車輪ロックピン３０を支える役割がある。また、車輪側軸支部４１は、押圧スプリング３２の押圧を受けており、その押圧スプリング３２の反力を車輪ロックピン３０の鍔部３１に与えることにより、アンロック時には車輪ロックピン３０の台車幅方向の押し込み幅を減少させ、車輪ロックピン３０端部が車輪２１の凹部２２に歯合しないようにしている。
【００１４】
また、左後輪と右後輪間の台車１００本体裏面には、回転体保持部５０が固定されている。
図２に示すように、回転体保持部５０は回転体６０を保持しており、カム部６２を上下方向に規制することによって、回転体６０を回転体保持部５０から離脱することを防いでいる。
回転体６０はロックレバー部６１とカム部６２から構成されており、ロックレバー部６１を回転させることにより、それに伴いカム部６２が連動して回転し、その力を車輪ロックピン３０に伝えることができる。そのため、ロックレバー部６１を操作することにより、ロック又はアンロック（ロック解除）が可能となる。
図示していないが、ロック状態、アンロック状態をそれぞれ安定的に維持するために、さらに回転体保持部５０の壁面に係合凹部を設け、回転体保持部５０と接するカム部６２の内側壁面に係合凸部を設けることが考えられる。それにより、カム部６２を回転させた場合、ロック時又はアンロック時のみ係合凹部と、係合凸部がそれぞれ係合し、ロック状態、アンロック状態をそれぞれ安定的に維持することができる。
【００１５】
図３は、本発明の一実施例における台車のアンロック時の底面図を示す。図４は、本発明の一実施例における台車のロック時の底面図を示す。
【００１６】
次に、本発明の一実施例における台車１００の使用方法及びロック機構の仕組みについて説明する。
【００１７】
図３は、アンロック時の台車１００であり、台車１００の移動時に使用する。台車１００を移動させる方法は、一般的な台車と同じであるので省略する。アンロック時から、台車１００をロックさせる方法は、ロックレバー部６１を時計方向に回転させるだけでよい。ただし、完全にロックするためには、車輪ロックピン３０が車輪２１の凹部２２に歯合するまで、ロックレバー部６１を回転させる必要がある。
本実施例では、時計方向に回転させることでロックする方法を採用したが、回転体６０を左右対象に作成することにより、反時計方向に回転させることによりロックすることもできる。
【００１８】
このロック機構の仕組みは、回転体６０のロックレバー部６１を回転させると、それに伴い回転体６０のカム部６２が、押圧スプリング３２の弾性力に抗して車輪ロックピン３０の幅方向の押し込み幅を増加させることにより車輪ロックピン３０を台車１００の幅方向に移動させ、車輪ロックピン３０端部が車輪２１の凹部２２に歯合することで、ロックすることが可能となる。ロック後の台車１００は、図４の通りとなる。
【００１９】
ロック時から、台車１００をアンロックさせる方法は、ロックレバー部６１を反時計方向に回転させるだけでよい。完全にアンロックするためには、車輪ロックピン３０が車輪２１の凹部２２に歯合さない位置まで回転させる必要がある。なお、回転体６０を左右対象に作成することにより、時計方向に回転させることによりアンロックすることもできる。
【００２０】
アンロック時のロック機構の仕組みは、回転体６０をロック時と逆方向（時計方向）にロックレバーを回転させることにより、回転体６０のカム部６２が車輪ロックピン３０の幅方向の押し込み幅を減少させ、押圧スプリング３２が車輪ロックピン３０の鍔部３１と車輪側軸支部４１を押圧することにより、誤って車輪ロックピン３０端部が車輪２１の凹部２２に歯合しないようにすることにより、安全にアンロックすることが可能となる。
【００２１】
図５は、本発明の一実施例における台車のロック時の拡大底面図を示す。図６は、本発明の一実施例における台車のＡ−Ａ’線断面図を示す。
図６に示す通り、ロック時には、ロックレバー部６１が台車の裏面から後方に飛び出ることはないため、ロックレバー部６１が障害物に接触することを未然に防止することができる。そのため、台車１００の運搬時や停止時において、作業者及び台車１００の安全を確保することができる。また、図示していないが、アンロック時であってもロック時と同様にロックレバー部６１が台車１００の裏面から後方に飛び出ることはなく安全性を確保している。
【００２２】
なお、本発明は前記実施例に限定されるものではない。例えばブレーキの材質は合成樹脂を用いているが、金属製等でも差し支えない。天板の材質も同様である。
【符号の説明】
【００２３】
１０      荷台
２０      キャスター枠
２１      車輪
２２      凹部
３０      車輪ロックピン
３１      鍔部
３２      押圧スプリング
４０      軸支部
４１      車輪側軸支部
４２      回転体側軸支部
５０      回転体保持部
６０      回転体
６１      ロックレバー部
６２      カム部
１００    台車
【図１】
0006304827.tif 000002
【図２】
0006304827.tif 000003
【図３】
0006304827.tif 000004
【図４】
0006304827.tif 000005
【図５】
0006304827.tif 000006
【図６】
0006304827.tif 000007